(57)【要約】【課題】  シートの種類、ロールシートの巻き径、装置の使用環境などに応じて適正な度合いでカール矯正を行うことができ、且つシートの搬送における斜行を防止することも可能なカール矯正装置および記録装置を提供する。【解決手段】  シートを巻き付けてカールを矯正するためのデカールローラと、デカールローラにシートをカールと逆方向に巻き付けるための支持シャフトと、を備える。支持シャフトを両端支持部で支持するとともに、支持シャフトの位置を変更することによりデカールローラにおけるシートの巻き付け角度を変更するように回動可能に軸支された保持部材と、保持部材を回動させるための駆動機構と、を備える。駆動機構を、保持部材の両端支持部のそれぞれに駆動伝達可能に係合させる。【選択図】  図２
2010070293.tif 000002
【特許請求の範囲】
【請求項１】
シートを巻き付けてカールを矯正するためのデカールローラと、
前記デカールローラにシートをカールと逆方向に巻き付けるための支持シャフトと、
前記支持シャフトを両端支持部で支持するとともに、前記支持シャフトの位置を変更することにより前記デカールローラにおけるシートの巻き付け角度を変更するように回動可能に軸支された保持部材と、
前記保持部材を回動させるための駆動機構と、
を備え、
前記駆動機構を、前記保持部材の両端支持部のそれぞれに駆動伝達可能に係合させることを特徴とするカール矯正装置。
【請求項２】
前記両端支持部のそれぞれを前記駆動機構により同期駆動することを特徴とする請求項１に記載のカール矯正装置。
【請求項３】
シートを巻き付けてカールを矯正するためのデカールローラと、
前記デカールローラにシートをカールと逆方向に巻き付けるための支持シャフトと、
前記支持シャフトを両端支持部で支持するとともに、前記支持シャフトの位置を変更することにより前記デカールローラにおけるシートの巻き付け角度を変更するように回動可能に軸支された保持部材と、
前記保持部材を回動させるための駆動機構と、
を備え、
前記駆動機構を、前記保持部材の両端支持部の間の中央付近に駆動伝達可能に係合させることを特徴とするカール矯正装置。
【請求項４】
前記保持部材の回動によるシートの前記巻き付け角度の増加に伴って、前記デカールローラと前記支持シャフトとのシート接触点間距離が減少することを特徴とする請求項１ないし３のいずれか１項に記載のカール矯正装置。
【請求項５】
画像情報に基づいてシートに画像を記録する記録装置であって、請求項１ないし４のいずれか１項に記載のカール矯正装置と、シートに画像を記録する記録手段とを備えたことを特徴とする記録装置。
【請求項６】
前記記録手段は、画像情報に基づいて記録ヘッドからインクを吐出して記録を行うことを特徴とする請求項５に記載の記録装置。
【発明の詳細な説明】
【技術分野】
【０００１】
本発明は、シートのカールを矯正するためのカール矯正装置および該カール矯正装置を備えた記録装置に関する。
【背景技術】
【０００２】
プリンタ、複写機、ファクシミリ等の記録装置は、画像情報に基づいて記録ヘッドにより記録媒体に画像を記録するように構成されている。記録媒体としては、紙やプラスチックシートなどの種々の材質のシートが使用されており、その形態にも、一定寸法に裁断されたカットシートや、ロール状に巻回されたロールシートがある。また、記録装置としても、カットシートに記録するもの、ロールシートから巻き解かれた連続シートに記録するもの、カットシートおよび連続シートの両方に記録するものがある。かかる記録装置においては、記録媒体としてのシートがカールしていると、記録画像の品質を下げるだけでなく、装置内部の構成部材にシートの端部が引っ掛かって紙詰まりを生じるなどの不具合の原因となる。かかる不具合は、特に、ロールシートを使用する記録装置において発生しやすい。そこで、シートのカールを除去するためのカール矯正装置を備えた記録装置が用いられている。また、カール矯正装置として、例えば、シートを搬送しつつカールと逆向きの曲率を与えて塑性変形させることにより、カールを除去する構成のものが使用されている。
【０００３】
一方、記録装置では、多種多様な物性のシートを使用したり、ロール状に巻回したロールシートを使用することがある。そのため、シートの種類やロールシートの場合の巻き径などにより、カール矯正前の変形量やカール癖の程度は様々に変化する。また、シートの種類によって、矯正後のカールの程度や状態も様々に変化する。さらに、カール矯正前後の状態は、記録装置の使用環境によっても様々に変化する。従って、シートの種類、ロールシートの場合の巻き径、および使用環境などに応じてカール除去の度合いを変更可能なカール矯正装置が要請される。
【０００４】
特許文献１には、搬送ローラ２と搬送ローラに圧接されて従動回転するカール矯正シャフト３とによりシート７を搬送するとともに、搬送ローラの軸６を中心に揺動可能なアーム５に軸支されたガイドローラ４１によりシートを支持する構成が開示されている。特許文献１では、シートのカール量に応じてガイドローラの位置を調整することにより、カール矯正シャフト上のシートの巻き付け角度をカール除去にとって適正な角度に調整している。また、特許文献２には、搬送ローラ４および矯正ローラ３の一対のローラと、矯正ローラの軸を中心として回動するスイングアーム２と、スイングアームに取り付けられた第１のローラ１と、を備えた構成が開示されている。特許文献２では、シート（ロールシート）の巻き径や材質の違いに応じてスイングアームの回動量を調整することにより、矯正ローラにシートを巻き付ける度合いを最適条件とすることで、カール矯正の度合いを調整している。
【特許文献１】特開平３−１５２０５６号公報
【特許文献２】特公平７−８４２９５号公報
【発明の開示】
【発明が解決しようとする課題】
【０００５】
特許文献１では、ガイドローラのローラシャフトの片側の端部をアームで支持し、このアームを回動させてガイドローラを移動させることにより、カール矯正シャフトに対するシートの巻き付け角度を調整している。しかし、ガイドローラのローラシャフトが長い場合、駆動されるアーム側の端部とその反対側の端部とでガイドローラの位相ズレが発生しやすくなる。また、様々な幅サイズのシートを使用する場合、シートが幅方向においてガイドローラとバランスよく当接しなくなることがあり、シートから受ける反力により両側のガイドローラに位相ズレを生じやすくなる。これらの位相ズレにより、カール矯正シャフトとガイドローラとの平行度が適正でなくなり、シートの搬送において斜行現象が現れたり、カール矯正が適正に行われなくなることがある。
【０００６】
また、特許文献２では、矯正ローラの片側端部にスイングアームを装着するとともに、スイングアームの先端部に第１のローラを軸支し、スイングアームを揺動させることにより第１のローラを移動させている。そして、第１のローラの位置により、矯正ローラ上のシートの巻き付け角度を調整している。しかし、第１のローラの軸長が長い場合、第１のローラ自身にねじれが生じやすくなる。また、様々な幅サイズのシートを使用する場合、シートが幅方向において第１のローラとバランスよく当接しなくなることがあり、シートから受ける反力によっても第１のローラ自身にねじれ変形が生じやすくなる。そして、第１のローラのねじれにより、矯正ローラと第１のローラとの平行度が適正でなくなり、シートの搬送において斜行現象が現れたり、カール矯正が適正に行われなくなることがある。
【０００７】
本発明はこのような技術的課題に鑑みてなされたものである。本発明の目的は、シートの種類、ロールシートの巻き径、装置の使用環境などに応じて適正な度合いでカール矯正を行うことができ、且つシートの搬送における斜行を防止することも可能なカール矯正装置および記録装置を提供することである。
【課題を解決するための手段】
【０００８】
本発明に係るカール矯正装置は、シートを巻き付けてカールを矯正するためのデカールローラと、前記デカールローラにシートをカールと逆方向に巻き付けるための支持シャフトと、前記支持シャフトを両端支持部で支持するとともに、前記支持シャフトの位置を変更することにより前記デカールローラにおけるシートの巻き付け角度を変更するように回動可能に軸支された保持部材と、前記保持部材を回動させるための駆動機構と、を備え、前記駆動機構を、前記保持部材の両端支持部のそれぞれに駆動伝達可能に係合させることを特徴とする。
【０００９】
また、本発明に係るカール矯正装置は、シートを巻き付けてカールを矯正するためのデカールローラと、前記デカールローラにシートをカールと逆方向に巻き付けるための支持シャフトと、前記支持シャフトを両端支持部で支持するとともに、前記支持シャフトの位置を変更することにより前記デカールローラにおけるシートの巻き付け角度を変更するように回動可能に軸支された保持部材と、前記保持部材を回動させるための駆動機構と、を備え、前記駆動機構を、前記保持部材の両端支持部の間の中央付近に駆動伝達可能に係合させることを特徴とする。
【発明の効果】
【００１０】
本発明によれば、シートの種類、ロールシートの巻き径、装置の使用環境などに応じて適正な度合いでカール矯正を行うことができ、且つシートの搬送における斜行を防止することも可能なカール矯正装置および記録装置が提供される。
【発明を実施するための最良の形態】
【００１１】
以下、図面を参照して本発明の実施形態を具体的に説明する。なお、各図面を通して同一符号は同一または対応部分を示すものである。
〔第１の実施形態〕
図１は第１の実施形態に係る記録装置の縦断面図である。本実施形態では、記録媒体として、記録装置に回転可能に装着されたスプール６１に巻回されたロールシート６３が使用される。ロールシート６３から巻き解かれたシート６５は、カールを矯正するためのカール矯正装置１０Ａを通して搬送される。カール矯正装置１０Ａから搬送されたシートは、内搬送ガイド４０及び外搬送ガイド４１からなる搬送経路を通して、記録部７０の搬送上流側に配された主搬送ローラ４とピンチローラ６７のニップへ給送される。シート先端をニップに押し付けてレジ取りを行った後、主搬送ローラ４を回転させ、シート６５を記録部７０に配されたプラテン５上の記録開始位置へ搬送する。
【００１２】
プラテン５と対向する位置には、記録ヘッド１を搭載したキャリッジ２がガイドシャフト３に沿って往復移動可能に支持されている。プラテン５上にセットされたシート６５に対し、記録ヘッド１による記録が開始される。キャリッジ２の移動に同期した記録ヘッド１による１ライン分の画像形成と、主搬送ローラ４による所定ピッチのシート送りとを交互に繰り返すことにより、シート６５の所定範囲における記録が行われる。この記録は、排紙ガイド８を利用して先端部を矢印Ａ方向へ搬送されるシート６５に対して行われる。記録が終了すると、シート６５を所定位置まで搬送し、幅方向に設置された固定刃７と固定刃に沿って回転移動する丸刃６とからなるカッタによりシートを切断する。切り離されたシートは排紙ガイド８に沿って装置本体外へ排出される。一方、残りのシートは主搬送ローラ４の逆転により記録開始位置まで戻される。以上により１頁分の記録が終了する。
【００１３】
なお、本実施形態に係る記録装置は、画像情報に基づいて記録ヘッド１の吐出口からインクを吐出して記録を行う記録手段を備えるインクジェット記録装置であり、プラテン５上のシート６５と記録ヘッド１の吐出口面との間に所定のギャップが形成されている。また、プラテン５の通紙面と固定刃７の刃面との関係は固定刃７の刃面の方がやや低く、固定刃７の刃面と排紙ガイド８の上面との関係は排紙ガイド８の上面の方がやや低くなっている。したがって、これらはシート６５が搬送される方向に対して漸次低位に配置されている。また、シート６５は、画像記録が可能なシート材であり、その材質は紙やプラスチックに限定されるものではない。カール矯正装置１０Ａは、画像形成のために給送されるシート６５のカール癖を矯正するための装置である。図１の記録装置では、ロールシート６３から巻き解かれたシート６５は、可動ガイド部材３０と固定ガイド部材３１との間に案内されて、カール矯正装置１０Ａへ導かれる。
【００１４】
次に、第１の実施形態に係るに係るカール矯正装置１０Ａについて説明する。図２は第１の実施形態に係るカール矯正装置のカール矯正をしないときの斜視図である。図３は第１の実施形態に係るカール矯正装置のカール矯正をするときの斜視図である。図４はカール矯正装置のデカールローラと支持シャフトとの位置関係を示す縦断面図である。図５はカール矯正装置の搬送ローラの段差部の斜視図である。
【００１５】
カール矯正装置１０Ａは、搬送ローラ１１、デカールローラ１２、支持シャフト１３、保持部材１６Ａおよび駆動機構７１Ａを備えている。搬送ローラ１１は、シート６５を搬送するためのローラであり、不図示のモータにより正逆回転可能である。矢印Ｈは、正転するときの搬送方向を示す。デカールローラ１２は、搬送ローラ１１に圧接されて従動回転するローラであり、シート６５のカール癖を除去する機能を有する。すなわち、シート６５のカールの凸面（カールと逆方向）にデカールローラ１２を圧接することによりカールを除去する。支持シャフト１３は、シート６５をデカールローラ１２にカールと逆方向に巻き付けるためのローラであり、その両端部を保持部材１６Ａの両端支持部１４により回転可能に支持されている。
【００１６】
保持部材１６Ａは、記録装置のシャーシに対し、左右の両端支持部１４に設けられた支点１５を中心に回動可能に支持されている。保持部材１６Ａの回動位置を変えることにより、デカールローラ１２に対する支持シャフト１３の位置を変えることができる。支持シャフト１３の位置を変更することにより、デカールローラ１２におけるシート６５の巻き付け角度θ（図４）を変更することができる。また、支持シャフト１３の位置変更により、デカールローラ１２と支持シャフト１３とのシート接触点距離Ｌ（図４）も変更可能である。本実施形態では、保持部材１６Ａの回動によるシートの巻き付け角度θの増加に伴って、デカールローラ１２と支持シャフト１３とのシート接触点間距離Ｌ（図４）が減少する配置構成となっている。
【００１７】
駆動機構７１Ａは、保持部材１６Ａの支点１５を中心とする回動移動を駆動する。駆動機構７１Ａは、ギア軸２０と、ギア軸２０の中間部に固定された駆動ギア１９と、ギア軸２０の両端部に固定された駆動ギア１８とを備えている。駆動ギア１９は不図示のモータにより駆動可能である。両端の駆動ギア１８は、保持部材１６Ａの左右の両端支持部１４に形成されたギア部１４ａとそれぞれ噛み合っており、かかるギア係合により、左右両端部において駆動機構７１Ａと駆動伝達可能に係合されている。従って、不図示のモータにより、駆動機構７１Ａを介して保持部材１６Ａの回動位置を変えることで、デカールローラ１２に対する支持シャフト１３の位置を変え、デカールローラ１２上のシート６５の巻き付け角度θを変えることができる。駆動機構７１Ａは、同期駆動される左右の駆動係合手段１８、１４ａを介して、左右の両端支持部１４のそれぞれに駆動伝達可能に係合されている。従って、保持部材１６Ａを回動させる際、左右の両端支持部１４のそれぞれを確実に同期駆動することができる。
【００１８】
保持部材１６Ａの中間部には、支持シャフト１３の曲げ変形を防止するためのバックアップ１７が設けられている。保持部材１６Ａは、記録装置の本体から独立してユニット化されており、記録装置の組立作業やメンテナンスが容易な構造になっている。保持部材１６Ａの回動中心をなす支点１５の位置は、デカールローラ１２上のシートの巻き付け角度θが大きくなるのに応じて、デカールローラ１２と支持シャフト１３とのシート接触点間距離Ｌが小さくなるように選定されている。巻き付け角度θが大きいほど、カール矯正の効果は大きくなる。また、シートの接触点間距離Ｌが小さいほどカール矯正の効果は大きくなる。従って、回動中心である支点１５の位置を、巻き付け角度θが大きくなるのに応じてシート接触点間距離Ｌが小さくなるような位置に選定することにより、カール矯正効果の幅を大きく取ることができる。そのため、シート６５の種類、ロールシート６３の巻き径、記録装置の使用環境などに応じて任意のカール矯正度合いを設定することが容易となる。
【００１９】
両端支持部１４のギア部１４ａと噛み合う各駆動ギア１８は、保持部材１６Ａを所定位置まで移動させるためのものであり、それぞれの位相合わせを行ったうえで、駆動機構７１Ａのギア軸２０に取り付けられている。ギア軸２０上の駆動ギア１９を不図示のモータで回転駆動すると、ギア軸２０の両端部の駆動ギア１８が一体に回転する。こうして、支持シャフト１３を支持する左右の両端支持部１４は、同期して回動駆動され、保持部材１６Ａおよび支持シャフト１３を均等に移動させることができる。これにより、支持シャフト１３を、デカールローラ１２に対して常に平行度を確保した状態で、均等に任意の位置に移動させることができる。従って、デカールローラ１２に対しシート６５を適正に巻き付けることにより、適正なカール矯正を行うことができる。
【００２０】
図５に示すように、搬送ローラ１１に段差部６９が形成されており、この段差部６９には、支点２２を中心に回動可能に支持された段差ガイド２１が配されている。段差ガイド２１は、バネ２３により常に矢印Ｆ方向に付勢されている。デカールローラ１２が搬送ローラ１１に圧接されている状態では、段差ガイド２１はバネ２３の付勢力によりデカールローラ１２に当接している。これにより、搬送ローラ１１の段差部６９によるシート６５のしわの発生などを防止することができる。
【００２１】
図２に示すように、シートをセットしたり、カール矯正を行うときは、支持シャフト１３はシート６５をデカールローラ１２に巻き付けない領域に位置している。カール矯正をしない状態からカール矯正をする状態に移行するときは、駆動ギア１９を回転させることにより両端部の駆動ギア１８を均等に回転させる。これにより、ギア部１４ａを介して、各両端支持部１４を矢印Ｄ方向に所定位置まで左右均等に移動させる。これにより、両端支持部１４と一体に移動する支持シャフト１３は、図３に示すように、シート６５をデカールローラ１２に巻き付ける領域に位置する。この場合、支持部材１３も均等に移動するため、常にデカールローラ１２と適正な平行度を保ちながら移動することになる。そして、搬送ローラ１１を回転させてシート６５を圧接搬送することにより、シート６５のカールを適正に矯正することができる。カール矯正をする状態からカール矯正をしない状態へ移行する際は、上述と逆の動作によって両端支持部１４を矢印Ｅ方向に移動させることにより、支持シャフト１３を、シートをデカールローラ１２に巻き付けない領域へ移動させる。
【００２２】
図６はカール矯正装置の保持部材と可動ガイド部材を示す部分斜視図である。図７はカール矯正をしないときの可動ガイド部材および支持シャフトの位置を示す縦断面図である。図８はカール矯正をするときの可動ガイド部材および支持シャフトの位置を示す縦断面図である。次に、可動ガイド部材３０および固定ガイド部材３１について説明する。可動ガイド部材３０は、記録装置のシャーシにより、支点３２を中心として回動可能に支持されており、バネ３３により矢印Ｂ方向に常に付勢されている。固定ガイド部材３１は、記録装置のシャーシに固定され、シート６５の裏面側をガイドしている。可動ガイド部材３０はシート６５の表面側（記録面側）をガイドしている。これらのガイド部材により、シートをセットするときにその先端部をカール矯正装置１０Ａへ案内する。
【００２３】
保持部材１６Ａの両端支持部１４には、可動ガイド部材３０を支点３２を中心に回動させるための係合部材２４が設けられている。図６には、保持部材１６Ａの片側の支持部１４および係合部材２４を示すが、これは反対側にも対称に設けられている。カール矯正をしないときは、図７に示すように、係合部材２４は、バネ３３で矢印Ｂ方向に付勢されている可動ガイド部材３０に所定の位置で係合している。このため、可動ガイド部材３０はシート６５を案内する領域に位置している。
【００２４】
一方、カール矯正を行うときは、図８に示すように、両端支持部１４の移動に応じて、係合部材２４はバネ３３の付勢力に抗して可動ガイド部材３０を矢印Ｃ方向に退避させる。そのため、デカールローラ１２にシート６５を巻き付けるための支持シャフト１３の移動領域が確保される。また、両端支持部１４で可動ガイド部材３０を退避させるため、可動ガイド部材３０の両端部を均等に退避させることができる。これにより、シート６５の幅方向全域にわたって、シート６５と可動ガイド部材３０との隙間を適正に保つことができる。
【００２５】
図９はカール矯正における制御動作のフローチャートである。次に記録装置のカール矯正に関する一連の動作を説明する。カール矯正装置１０Ａにシート６５がセットされる（ステップＳ１）と、シート６５の種類（物性およびサイズなど）がユーザにより入力設定される（ステップＳ２）。そして、不図示の紙センサによりシート６５の先端部および幅方向端部を検出し（ステップＳ３）、シート６５の搬送量およびロールシート６３の回転角度からロールシート６３の巻き径を算出する（ステップＳ４）。その後、記録ヘッド１による記録開始に備えたスタンバイ状態となる（ステップＳ５）。画像情報の入力などによるシートの搬送入力が行われる（ステップＳ６）と、その時点で温度および湿度などの環境状況を検出する（ステップＳ７）。そこで、ステップＳ２で設定されたシートの種類、ステップＳ４で検出されたシートの巻き径、ステップＳ１７で検出された環境値などのそれぞれの条件から、支持シャフト１３の位置を決定する（ステップＳ８）。
【００２６】
次いで、駆動機構７１Ａにより両端支持部１４を所定位置まで移動させることで、支持シャフト１３をカール矯正に適正な所定位置まで移動させる（ステップＳ９）。次いで、搬送ローラ１１を回転させることにより、デカールローラ１２とのニップに挟持したシート６５の圧接搬送を実行する（ステップＳ１０）。シート６５の搬送量が所定値に達したところで搬送を停止し（ステップＳ１１）、支持シャフト１３をカール矯正をしないときの待機位置まで移動させる（ステップＳ１２）。そして、シート６５の搬送量及びロールシート６３の回転角度からロールシートの巻き径を再度検出し（ステップＳ４）、スタンバイ状態となる（ステップＳ５）。
【００２７】
以上の一連の動作では、カール矯正を行うとき、シートの種類、ロールシートの巻き径、カール矯正時の環境などに基づいて、支持シャフト１３の位置を決定することにより、デカールローラ１２におけるシートの巻き付け角度を所定の適正値に保っている。そのため、カール矯正装置１０Ａによるカール矯正によって、シート６５のカールを除去したり、任意のカール程度まで低減したりすることが可能となる。
【００２８】
以上説明した実施形態によれば、保持部材１６Ａの両端支持部１４により支持シャフト１３を回転可能に支持し、各支持部１４をそれぞれ均等に所定位置まで移動させることができる。これにより、常にデカールローラ１２と支持シャフト１３を適正な平行度を保ちながら移動させることが可能となる。従って、シート６５を搬送する際の斜行を防止することができる。また、支持シャフト１３は、デカールローラ１２に対して、任意の位置で停止させることができ、シートの種類、ロールシートの巻き径、装置の使用環境などに応じて任意のカール矯正の度合いを実現することができる。従って、本実施形態によれば、シートの種類、ロールシートの場合の巻き径、装置の使用環境などに応じて適正な度合いでカール矯正を行うことができ、さらに、シートの搬送における斜行現象を防止することも可能なカール矯正装置および記録装置が提供される。
【００２９】
〔第２の実施形態〕
図１０は第２の実施形態に係るカール矯正装置のカール矯正をしないときの斜視図である。図１１は第２の実施形態に係るカール矯正装置のカール矯正をするときの斜視図である。本実施形態に係るカール矯正装置１０Ｂは、搬送ローラ１１、デカールローラ１２、支持シャフト１３、保持部材１６Ｂおよび駆動機構７１Ｂを備えている。ここでも、矢印Ｈは搬送ローラ１１の正転による搬送方向を示す。このカール矯正装置１０Ｂは、保持部材１６Ａおよび駆動機構７１Ａに代えて保持部材１６Ｂおよび駆動機構７１Ｂを使用する点で第１の実施形態に係るカール矯正装置１０Ａと相違し、その他の点では同じ構成を有する。従って、本実施形態に係る記録装置も、カール矯正装置１０Ｂを用いる点では図１ないし図９で説明した第１の実施形態に係る記録装置と相違するが、その他の点では同じ構成を有する。
【００３０】
カール矯正装置１０Ｂにおいて、支持シャフト１３は保持部材１６Ｂの左右の両端支持部１４によって回転可能に支持されており、保持部材１６Ｂの左右の両端支持部１４の間の中央付近の位置にギア部１６ａが設けられている。なお、本実施形態では、第１の実施形態における支持部１４のギア部１４ａは不要である。保持部材１６Ｂは、記録装置のシャーシに対し支点１５を中心に回動可能に軸支されており、駆動機構７１Ｂによって回動駆動される。駆動機構７１Ｂは、ギア軸５３の両端部に駆動ギア５１、５２を固定した構造を有し、一方の駆動ギア５２は不図示のモータによって回動駆動可能であり、他方の駆動ギア５１は保持部材１６Ｂのギア部１６ａと噛み合っている。つまり、駆動機構１７Ｂは、駆動係合手段５１、１６ａを介して、保持部材１６Ｂの左右の両端支持部１４の間の中央付近に駆動伝達可能に係合されている。従って、保持部材１６Ｂは、不図示のモータによって駆動ギア５２を正逆方向に回動させることにより、両矢印Ｄ、Ｅ方向に回動移動させることができる。これにより、第１の実施形態と同様、支持シャフト１３の位置を変えることで、デカールローラ１２上のシート６５の巻き付け角度θを増減したり、デカールローラ１２と支持シャフト１３とのシート接触点間距離Ｌを増減したりすることができる。
【００３１】
第２の実施形態では、第１の実施形態の左右の駆動係合手段１８、１４ａに代えて、両端支持部１４の間の中央付近に設けた駆動係合手段５１、１６ａにより駆動伝達が行われる。このため、第２の実施形態によっても、保持部材１６Ｂを回動移動させることにより両端支持部１４を矢印Ｄ方向に所定位置まで均等に移動させることができる。従って、第１の実施形態と同様、支持シャフト１３を、常にデカールローラ１２と適正な平行度を保ちながら移動させることができる。これにより、シート６５を、搬送時の斜行を防止するとともに適正なカール矯正を行いながら搬送することができる。また、支持シャフト１３を任意の位置で停止させることができる。こうして、本実施形態によっても、シートの種類、ロールシートの場合の巻き径、装置の使用環境などに応じて適正な度合いでカール矯正を行うことができ、さらに、シートの搬送における斜行現象を防止することも可能なカール矯正装置を備えた記録装置が提供される。
【００３２】
なお、上述の第１の実施形態および第２の実施形態では、一体構造の保持部材１６Ａ、１６Ｂの両端に支持シャフト１３の支持部４を設けたが、これは、保持部材１６Ａ、１６Ｂを分割して形成した両端支持部１４のそれぞれで支持シャフト１３を回転可能に支持しても良い。かかる構成によれば、保持部材の本体部（連結部）を省略することで、記録装置の組立作業やメンテナンスが一層容易になる。また、保持部材を回動駆動させるための駆動係合手段（駆動ギア１８およびギア部１４ａ、駆動ギア５１およびギア部１６ａ）の数や位置も、上述の実施形態に限定されることなく、例えば３箇所以上に設けるなど、必要に応じて適宜選定することができる。
【００３３】
さらに、シート６５の巻き付け動作を支持シャフト１３の円弧移動によって行っているが、これは、円弧移動に代えて平行移動等による移動手段を用いる構成としても良い。また、可動ガイド部材３０を退避させるための係合部材２４を両端支持部１４に設けているが、これは保持部材１６Ａ、１６Ｂの他の部位に設けても良い。また、カール矯正装置１０Ａ、１０Ｂにおけるシート６５の搬送手段を、カール矯正に使用する搬送ローラ１１とデカールローラ１２で構成しているが、これは、例えば主搬送ローラ４等の他の搬送ローラと従動ローラを用いてシート６５を搬送する構成としても良い。
【００３４】
なお、以上の実施形態では、ロールシートから巻き解いたシートのカールを矯正する場合を説明したが、本発明は、一定寸法に裁断されたカットシートなど他の形態のシートのカールを矯正する場合にも同様に適用可能である。また、本発明は、１ライン分の画像形成と所定ピッチのシート送りとを交互に繰り返すシリアル記録装置、あるいは、シート送りのみで１ラインずつ一括して画像を形成するラインタイプの記録装置のいずれにも同様に適用可能である。また、シートの材質も、紙、プラスチックシート、写真調印画紙、布など、記録可能な種々のものを使用することができる。
【図面の簡単な説明】
【００３５】
【図１】第１の実施形態に係る記録装置の縦断面図である。
【図２】第１の実施形態に係るカール矯正装置のカール矯正をしないときの斜視図である。
【図３】第１の実施形態に係るカール矯正装置のカール矯正をするときの斜視図である。
【図４】カール矯正装置のデカールローラと支持シャフトとの位置関係を示す縦断面図である。
【図５】カール矯正装置の搬送ローラの段差部の斜視図である。
【図６】カール矯正装置の保持部材と可動ガイド部材を示す部分斜視図である。
【図７】カール矯正をしないときの可動ガイド部材および支持シャフトの位置を示す縦断面図である。
【図８】カール矯正をするときの可動ガイド部材および支持シャフトの位置を示す縦断面図である。
【図９】カール矯正における制御動作のフローチャートである。
【図１０】第２の実施形態に係るカール矯正装置のカール矯正をしないときの斜視図である。
【図１１】第２の実施形態に係るカール矯正装置のカール矯正をするときの斜視図である。
【符号の説明】
【００３６】
１      記録ヘッド
１０Ａ、１０Ｂ    カール癖矯正装置
１１    搬送ローラ
１２    デカールローラ
１３    支持シャフト
１４    両端支持部
１４ａ  ギア部
１５    支点
１６Ａ、１６Ｂ    保持部材
１６ａ  ギア部
１８    駆動ギア
２０    ギア軸
３０    可動ガイド部材
３１    固定ガイド部材
５１    駆動ギア
５３    ギア軸
６５    シート
θ      巻き付け角度
Ｌ      シート接触点間距離
【図１】
2010070293.tif 000003
【図２】
2010070293.tif 000004
【図３】
2010070293.tif 000005
【図４】
2010070293.tif 000006
【図５】
2010070293.tif 000007
【図６】
2010070293.tif 000008
【図７】
2010070293.tif 000009
【図８】
2010070293.tif 000010
【図９】
2010070293.tif 000011
【図１０】
2010070293.tif 000012
【図１１】
2010070293.tif 000013